(57)【要約】【課題】法事等で遺影写真を飾る際に参加者に簡易な印象を与えることがなく、また、出し入れの煩雑さを解消することができる、遺影写真ケースを提供する。【解決手段】遺影写真ケース１は、カバー部材２と写真表示部材３と、を備え、写真表示部材３は、枠部３ａと裏当部３ｂと、を備え、枠部３ａと裏当部３ｂとの間に遺影写真Ｐが配置され、枠部３ａにはマグネット３１が固着され、裏当部３ｂにはマグネット３１に引力を受ける磁性板３３が固着され、マグネット３１と磁性板３３とが接触する際の引力により、枠部３ａと裏当部３ｂとが組み合わされて写真表示部材３が構成され、カバー部材２の設置面２ｓには、マグネット３１に引力を受ける磁性突起２１が固着され、マグネット３１と磁性突起２１とが接触する際の引力により、写真表示部材３とカバー部材２とが組み合わされて構成される。【選択図】図２
2019072318.tif 000002
【特許請求の範囲】
【請求項１】
表表紙と裏表紙とを備えて二つ折り可能とされ、内周面における前記裏表紙側に設置面が形成される板状のカバー部材と、
表面と裏面とを備え、前記表面に遺影写真が表示可能とされ、前記裏面が前記カバー部材の前記設置面に着脱可能とされる、写真表示部材と、を備える遺影写真ケースであって、
前記写真表示部材は、前記表面側に配置されて中央部分に開口部が形成される枠部と、前記枠部における前記開口部を前記裏面側で閉塞する裏当部と、を備え、前記枠部と前記裏当部との間に遺影写真が配置され、
前記枠部と前記裏当部とのうち、一方にはマグネットが固着され、他方には前記マグネットに引力を受ける第一磁性体が固着され、
前記マグネットと前記第一磁性体との引力により、前記枠部と前記裏当部とが組み合わされて前記写真表示部材が構成され、
前記設置面には、前記マグネットに引力を受ける第二磁性体が固着され、
前記マグネットと前記第二磁性体との引力により、前記写真表示部材と前記カバー部材とが組み合わされて構成される、遺影写真ケース。
【請求項２】
前記マグネットと前記第一磁性体との引力が、前記マグネットと前記第二磁性体との引力よりも大きくなるように構成される、請求項１に記載の遺影写真ケース。
【請求項３】
前記マグネットと前記第一磁性体との接触面積が、前記マグネットと前記第二磁性体との接触面積よりも大きくなるように構成される、請求項２に記載の遺影写真ケース。
【請求項４】
前記マグネットと前記第二磁性体との間には、前記マグネットと前記第二磁性体との引力を減衰させる減衰材が介挿される、請求項２に記載の遺影写真ケース。
【発明の詳細な説明】
【技術分野】
【０００１】
本発明は、遺影写真を閲覧可能に保管できる遺影写真ケースに関する。
【背景技術】
【０００２】
従来、葬儀にて使用した遺影写真用額は、家庭に持ち帰った後で仏壇や鴨居に飾られていた。しかし、近年は仏壇や鴨居のない家庭が多くなっており、葬儀で使用した遺影写真を家庭内の他の場所で保管する場合が増加している。このため、遺影写真を保管するための遺影写真ケースがいくつか提案されている（例えば、特許文献１又は特許文献２を参照）。
【先行技術文献】
【特許文献】
【０００３】
【特許文献１】実用新案登録第３１２０５４９号公報
【特許文献２】特開２０１４−７９９３５号公報
【発明の概要】
【発明が解決しようとする課題】
【０００４】
前記特許文献１又は特許文献２においては、葬儀が終了した後に遺影写真を二つ折りのケースに収容し、家庭においてケースを閉じた状態で保存する遺影写真ケースが記載されている。これらの文献に記載の遺影写真ケースは、法事等で遺影写真を用いる際には、二つ折りのケースを開き、逆向きに二つ折りにして使用する。しかし、葬儀だけでなく法事においても、遺影写真ケースを二つ折りにした状態で遺影写真を飾った場合、参加者に簡易な印象を与えてしまう。
【０００５】
また、遺影写真を二つ折りではない遺影写真ケース（額等）に収容し、この遺影写真ケースを紙箱等に入れて収納する場合、法事があるごとに遺影写真ケースを紙箱等から出し入れする作業が煩雑となる。
【０００６】
本発明は以上の如き状況に鑑みてなされたものであり、本発明が解決しようとする課題は、法事等で遺影写真を飾る際に参加者に簡易な印象を与えることがなく、また、出し入れの煩雑さを解消することができる、遺影写真ケースを提供することである。
【課題を解決するための手段】
【０００７】
以下では、上記課題を解決するための手段を説明する。
【０００８】
本発明に係る遺影写真ケースは、表表紙と裏表紙とを備えて二つ折り可能とされ、内周面における前記裏表紙側に設置面が形成される板状のカバー部材と、表面と裏面とを備え、前記表面に遺影写真が表示可能とされ、前記裏面が前記カバー部材の前記設置面に着脱可能とされる、写真表示部材と、を備え、前記写真表示部材は、前記表面側に配置されて中央部分に開口部が形成される枠部と、前記枠部における前記開口部を前記裏面側で閉塞する裏当部と、を備え、前記枠部と前記裏当部との間に遺影写真が配置され、前記枠部と前記裏当部とのうち、一方にはマグネットが固着され、他方には前記マグネットに引力を受ける第一磁性体が固着され、前記マグネットと前記第一磁性体との引力により、前記枠部と前記裏当部とが組み合わされて前記写真表示部材が構成され、前記設置面には、前記マグネットに引力を受ける第二磁性体が固着され、前記マグネットと前記第二磁性体との引力により、前記写真表示部材と前記カバー部材とが組み合わされて構成される。
【０００９】
本発明に係る遺影写真ケースは上記の如く構成することにより、法事等で遺影写真を飾る際に、写真表示部材をカバー部材から取り外して用いることができ、遺影写真ケースを二つ折りにした状態で遺影写真を表示することがないため、参加者に簡易な印象を与えることがない。また、マグネットにより写真表示部材をカバー部材から容易に着脱できるため、出し入れの際の煩雑さを解消できる。
【００１０】
また、本発明に係る遺影写真ケースは、前記マグネットと前記第一磁性体との引力が、前記マグネットと前記第二磁性体との引力よりも大きくなるように構成される。
【００１１】
本発明に係る遺影写真ケースは上記の如く構成することにより、写真表示部材をカバー部材から取り外す際に枠部のみを引っ張った場合でも、枠部と裏当部とが離間するより前に写真表示部材とカバー部材とが離間するため、遺影写真が写真表示部材から脱落することを防止できる。
【００１２】
また、本発明に係る遺影写真ケースは、前記マグネットと前記第一磁性体との接触面積が、前記マグネットと前記第二磁性体との接触面積よりも大きくなるように構成される。
【００１３】
本発明に係る遺影写真ケースは上記の如く構成することにより、写真表示部材をカバー部材から取り外す際に枠部のみを引っ張った場合でも、枠部と裏当部との接触部分が離間するより前に写真表示部材とカバー部材との接触部分が離間するため、遺影写真が写真表示部材から脱落することを防止できる。
【００１４】
また、本発明に係る遺影写真ケースは、前記マグネットと前記第二磁性体との間には、前記マグネットと前記第二磁性体との引力を減衰させる減衰材が介挿される。
【００１５】
本発明に係る遺影写真ケースは上記の如く構成することにより、写真表示部材をカバー部材から取り外す際に枠部のみを引っ張った場合でも、枠部と裏当部とが離間するより前に減衰材により引力が減衰された写真表示部材とカバー部材とが離間するため、遺影写真が写真表示部材から脱落することを防止できる。
【発明の効果】
【００１６】
本発明に係る遺影写真ケースによれば、法事等で遺影写真を飾る際に、写真表示部材をカバー部材から取り外して用いることができ、遺影写真ケースを二つ折りにした状態で遺影写真を表示することがないため、参加者に簡易な印象を与えることがない。また、マグネットにより写真表示部材をカバー部材から容易に着脱できるため、出し入れの際の煩雑さを解消できる、という効果を奏する。
【図面の簡単な説明】
【００１７】
【図１】閉じた状態の遺影写真ケースを示す斜視図。
【図２】開いた状態の遺影写真ケースを示す斜視図。
【図３】写真表示部材を示す斜視図。
【図４】写真表示部材の組付け状態を示す斜視図。
【図５】（ａ）及び（ｂ）はそれぞれマグネットと磁性板との接触状態を示す断面図。
【図６】遺影写真ケースの組付け状態を示す斜視図。
【図７】（ａ）及び（ｂ）はそれぞれマグネットと磁性突起との接触状態を示す断面図。
【発明を実施するための形態】
【００１８】
以下では図１から図７を用いて、本発明の一実施形態に係る遺影写真ケース１について説明する。図１中に示す矢印は遺影写真ケース１の方向を示している。遺影写真ケース１は遺影写真Ｐを閲覧可能に保管できる。
【００１９】
図１及び図２に示す如く、遺影写真ケース１はカバー部材２と、カバー部材２に着脱可能とされる写真表示部材３と、を備える。図２及び図３に示す如く、写真表示部材３は遺影写真Ｐを表示する額状の部材である。カバー部材２は写真表示部材３を収納する際や搬送する際に写真表示部材３が汚れたり傷ついたりすることを防ぐために、写真表示部材３の表面を被覆する板状の部材である。
【００２０】
図２に示す如く、カバー部材２は略同形状の表表紙２Ｆと裏表紙２Ｂとを備える。表表紙２Ｆは裏表紙２Ｂに対して前後方向に開閉可能に、互いの一端側が繋がるように構成されている。カバー部材２は収納時や搬送時には図１に示す如く内部に写真表示部材３を収容した状態で二つ折りにされる。図２に示す如く、カバー部材２を二つ折りにした際（図１を参照）の内周面における裏表紙２Ｂの側には、写真表示部材３を設置するための設置面２ｓが形成されている。図７（ａ）に示す如く、裏表紙２Ｂ（表表紙２Ｆも同様）は表紙基板２２と表紙カバー板２３との二枚の板部材を張り合わせることにより構成されている。
【００２１】
図３に示す如く、写真表示部材３は表面３Ｆと裏面３Ｂとを備える。表面３Ｆには遺影写真Ｐが表示される。裏面３Ｂはカバー部材２の設置面２ｓに着脱可能とされる。写真表示部材３は、枠部３ａと裏当部３ｂとを組み合わせることにより構成される。枠部３ａは写真表示部材３における表面３Ｆの側に配置される。枠部３ａは中央部分に開口部３２が形成された枠体である。図５（ａ）に示す如く、枠部３ａは枠基板３４と枠カバー板３５との二枚の板部材を張り合わせることにより構成されている。
【００２２】
裏当部３ｂは写真表示部材３の裏面３Ｂの側で枠部３ａにおける開口部３２を閉塞する。図５（ａ）に示す如く、裏当部３ｂは裏基板３６と裏カバー板３７との二枚の板部材を張り合わせることにより構成されている。枠部３ａと裏当部３ｂとの間には遺影写真Ｐが配置される。詳細には図４に示す如く、裏当部３ｂにおける裏当面３ｓに遺影写真Ｐが配置され、その上に枠部３ａを載置するのである。これにより、開口部３２に遺影写真Ｐが表示される。
【００２３】
本実施形態においては図４に示す如く、枠部３ａにおける裏当面３ｓと当接する面には透明シートＳが貼付されている。換言すれば、枠部３ａの開口部３２は、裏当面３ｓと当接する側が透明シートＳで閉塞されている。このため、写真表示部材３において枠部３ａと裏当部３ｂとの間に遺影写真Ｐを配置した状態では、遺影写真Ｐの表面は透明シートＳによって保護される。なお、透明シートＳを配設せず、開口部３２から遺影写真Ｐが露出する構成とすることも可能である。
【００２４】
写真表示部材３は、葬儀や法事において祭壇に飾ることによって使用される。このため、枠部３ａの表面に装飾を施したり、彩色したりすることも可能である。また、本実施形態において枠部３ａと裏当部３ｂとはほぼ同じ厚さで形成しているが、枠部３ａを立体的に形成することにより、枠部３ａを裏当部３ｂよりも厚みを大きく形成することもできる。
【００２５】
このように、本実施形態に係る遺影写真ケース１によれば、法事等で遺影写真Ｐを飾る際に、写真表示部材３をカバー部材２から取り外して用いることができる。即ち、遺影写真ケース１を二つ折りにした状態で遺影写真Ｐを表示することがないため、参加者に簡易な印象を与えることがない。
【００２６】
本実施形態に係る遺影写真ケース１の写真表示部材３において、枠部３ａには略円柱形状の永久磁石であるマグネット３１が固着されている。具体的には図４に示す如く、枠部３ａにおいて裏当面３ｓと当接する面には、前端部の左右方向中央部分と、後端部の左右両端部分と、の三か所に、マグネット３１が固着されているのである。なお、本実施形態においてマグネット３１にはフェライト磁石が用いられているが、マグネット３１としてネオジム磁石等の他の磁石を用いることも可能である。
【００２７】
図５（ａ）に示す如く、マグネット３１は厚さ方向の一端部で半径方向外側に向かって延出された円板状のマグネット係止部３１ａと、マグネット係止部３１ａから厚さ方向の他端側に突出する吸着部３１ｂと、吸着部３１ｂにおける他端面の略中央部に形成された凹部３１ｃと、を備える。本実施形態において、吸着部３１ｂの他端面において凹部３１ｃが形成される面積は他の部分の面積よりも小さくなるように構成されている。そして、枠部３ａを構成する際に、枠基板３４と枠カバー板３５との間でマグネット係止部３１ａを挟み込むことにより、マグネット３１が枠部３ａに固定される。この際、吸着部３１ｂは枠カバー板３５の開口部分より表出する。
【００２８】
一方、裏当部３ｂにはマグネット３１に引力を受ける第一磁性体である円形の磁性板３３が固着される。具体的には図４に示す如く、裏当部３ｂの裏当面３ｓには、前端部の左右方向中央部分と、後端部の左右両端部分と、の三か所に、磁性板３３が固着されているのである。即ち、磁性板３３は枠部３ａと裏当部３ｂとを組み合わせた際にマグネット３１に対向する位置に配置されている。磁性板３３の中央部には、マグネット３１の凹部３１ｃと略同形状の貫通孔３３ａが開口されている。
【００２９】
そして、裏当部３ｂを構成する際に、裏基板３６と裏カバー板３７との間で磁性板３３を挟み込むことにより、磁性板３３が裏当部３ｂに固定される。裏基板３６と裏カバー板３７とには、磁性板３３が配設される箇所に基板挿入孔３６ａ及びカバー板挿入孔３７ａが形成され、この基板挿入孔３６ａ及びカバー板挿入孔３７ａからは磁性板３３が露出する。なお、本実施形態において磁性板３３は鉄板で形成されているが、磁性体であればその素材は限定されるものではない。また、磁性板３３として磁石を用いることも可能である。
【００３０】
本実施形態に係る写真表示部材３は、枠部３ａのマグネット３１と、裏当部３ｂにおいてマグネット３１に対応する磁性板３３と、が接触する際の引力により組み合わされる。具体的には図４及び図５（ａ）中の矢印Ａに示す如く、カバー板挿入孔３７ａに、それぞれ対応するマグネット３１の吸着部３１ｂが挿入される。これにより、図５（ｂ）に示す如く吸着部３１ｂが磁性板３３に当接し、マグネット３１と磁性板３３との吸着力により枠部３ａと裏当部３ｂとが組み合わされるのである。
【００３１】
また、カバー部材２の裏表紙２Ｂにおける設置面２ｓにはマグネット３１に引力を受ける第二磁性体である円形の磁性突起２１が固着される。具体的には図６に示す如く、設置面２ｓには、前端部の左右方向中央部分と、後端部の左右両端部分と、の三か所に、磁性突起２１が固着されているのである。即ち、磁性突起２１は写真表示部材３を設置面２ｓに配置した際にマグネット３１に対向する位置に配置されている。
【００３２】
図７（ａ）に示す如く、磁性突起２１は厚さ方向の一端部で半径方向外側に向かって延出された円板状の磁性突起係止部２１ａと、磁性突起係止部２１ａから厚さ方向の他端側に突出する第一凸部２１ｂと、第一凸部２１ｂからさらに他端側に突出する第二凸部２１ｃと、を備える。そして、裏表紙２Ｂを構成する際に、表紙基板２２と表紙カバー板２３との間で磁性突起係止部２１ａを挟み込むことにより、磁性突起２１が裏表紙２Ｂの設置面２ｓに固定される。この際、第一凸部２１ｂ及び第二凸部２１ｃは表紙カバー板２３の開口部分より表出する。なお、本実施形態において磁性突起２１は鉄製部材として形成されているが、磁性体であればその素材は限定されるものではない。また、磁性突起２１として磁石を用いることも可能である。
【００３３】
本実施形態に係る遺影写真ケース１は、写真表示部材３のマグネット３１と、裏表紙２Ｂにおいてマグネット３１に対応する磁性突起２１と、が接触する際の引力により組み合わされる。具体的には図６及び図７（ａ）中の矢印Ｂに示す如く、基板挿入孔３６ａに、それぞれ対応する磁性突起２１の第一凸部２１ｂが挿入され、同時に貫通孔３３ａ及びマグネット３１の凹部３１ｃに磁性突起２１の第二凸部２１ｃが挿入される。これにより、図７（ｂ）に示す如く凹部３１ｃが第二凸部２１ｃに当接し、マグネット３１と磁性突起２１との吸着力により写真表示部材３と裏表紙２Ｂの設置面２ｓとが組み合わされるのである。
【００３４】
このように、本実施形態に係る遺影写真ケース１は上記の如く、マグネット３１と磁性突起２１との吸着力により写真表示部材３をカバー部材２に組み合わせる構成としている。このように、遺影写真ケース１はマグネット３１を用いることにより、写真表示部材３をカバー部材２に近づけるだけで組付けることができる。また、写真表示部材３をカバー部材２から離間させる方向に力を加えるだけで離脱させることができる。即ち、写真表示部材３をカバー部材２から容易に着脱できるため、写真表示部材３の出し入れの際の煩雑さを解消できる。
【００３５】
また、上記の如く、マグネット３１と磁性突起２１とが吸着する際には、基板挿入孔３６ａに、それぞれ対応する磁性突起２１の第一凸部２１ｂが挿入され、同時に貫通孔３３ａ及びマグネット３１の凹部３１ｃに磁性突起２１の第二凸部２１ｃが挿入される。これにより、カバー部材２の設置面２ｓにおける写真表示部材３の位置決めを容易にすることが可能となる。
【００３６】
また、遺影写真ケース１においては、写真表示部材３を構成するための枠部３ａと裏当部３ｂとの組付けにおいても、マグネット３１と磁性板３３との吸着力を用いている。このため、遺影写真Ｐを写真表示部材３にセットする際も、別途留め具等を用いることなく、枠部３ａと裏当部３ｂとを近づけるだけで写真表示部材３を容易に構成することができる。
【００３７】
また、遺影写真ケース１においては、マグネット３１を、写真表示部材３とカバー部材２との組付け時と、枠部３ａと裏当部３ｂとの組付け時と、の両方に用いている。換言すれば、マグネット３１を二か所の組付け時における組付け部材として兼用している。これにより、それぞれの組付け時に別のマグネットを用いる構成と比較して、遺影写真ケース１の重量を小さくし、製造における部品コストを抑制することが可能となる。
【００３８】
また、上記の如く、枠部３ａと裏当部３ｂとが吸着する際には、カバー板挿入孔３７ａにそれぞれ対応するマグネット３１の吸着部３１ｂが挿入される。これにより、枠部３ａと裏当部３ｂとの位置合わせを容易にすることができる。
【００３９】
また、本実施形態に係る遺影写真ケース１は、マグネット３１と磁性板３３との引力が、マグネット３１と磁性突起２１との引力よりも大きくなるように構成される。具体的には、マグネット３１と磁性板３３との接触面積（吸着部３１ｂの先端面が磁性板３３に接触する面積、図５（ｂ）を参照）が、マグネット３１と磁性突起２１との接触面積（第二凸部２１ｃの先端面が凹部３１ｃに接触する面積、図７（ｂ）を参照）よりも大きくなるように構成される。
【００４０】
遺影写真ケース１は上記の如く構成することにより、写真表示部材３をカバー部材２から取り外す際に、枠部３ａのみを引っ張った場合でも、枠部３ａと裏当部３ｂとの接触部分が離間するより前に吸着力が相対的に弱い写真表示部材３とカバー部材２との接触部分が離間する。このため、枠部３ａと裏当部３ｂとが離脱することによって遺影写真Ｐが写真表示部材３から脱落することを防止できる。
【００４１】
なお、マグネット３１と第一磁性体との引力が、マグネット３１と第二磁性体との引力よりも大きくなるようにするための構成は、マグネット３１と第一磁性体及び第二磁性体との接触面積を異ならせる方法に限定されない。例えば、第一磁性体である磁性板に磁石を用いるとともに第二磁性体である磁性突起に鉄を用いる構成とすることもできる。また、マグネット３１と磁性突起の間に、磁性突起との引力を減衰させる減衰材（物理的又は空間的なギャップ）を介挿することにより、相対的に第二磁性体との引力を小さくすることも可能である。
【００４２】
なお、本実施形態において、マグネット３１を枠部３ａに固着し、磁性板３３を裏当部３ｂに固着したが、枠部３ａに第一磁性体である磁性板を固着し、裏当部３ｂにマグネットを固着する構成とすることも可能である。この場合でも、マグネットと磁性板との接触面積をマグネットと磁性突起２１との接触面積よりも大きくすることにより、マグネットと磁性板との引力が、マグネットと磁性突起２１との引力よりも大きくなるように構成することが好ましい。又は、マグネットと第二磁性体である磁性突起２１との間に、マグネットと磁性突起２１との引力を減衰させる減衰材を介挿することにより、マグネットと磁性板との引力が、マグネットと磁性突起２１との引力よりも大きくなるように構成することが好ましい。これにより、枠部３ａのみを引っ張った場合でも、枠部３ａと裏当部３ｂとの接触部分が離間して遺影写真Ｐが写真表示部材３から脱落することを防止できる。
【符号の説明】
【００４３】
１        遺影写真ケース                  ２        カバー部材
２Ｆ      表表紙                          ２Ｂ      裏表紙
２ｓ      設置面                          ３        写真表示部材
３ａ      枠部                            ３ｂ      裏当部
３ｓ      裏当面                          ３Ｆ      表面
３Ｂ      裏面                          ２１        磁性突起（第二磁性体）
２１ａ      磁性突起係止部                ２１ｂ      第一凸部
２１ｃ      第二凸部                      ２２        表紙基板
２３        表紙カバー板                  ３１        マグネット
３１ａ      マグネット係止部              ３１ｂ      吸着部
３１ｃ      凹部                          ３２        開口部
３３        磁性板（第一磁性体）          ３３ａ      貫通孔
３４        枠基板                        ３５        枠カバー板
３６        裏基板                        ３６ａ      基板挿入孔
３７        裏カバー板                    ３７ａ      カバー板挿入孔
Ｐ        遺影写真                        Ｓ        透明シート
【図１】
2019072318.tif 000003
【図２】
2019072318.tif 000004
【図３】
2019072318.tif 000005
【図４】
2019072318.tif 000006
【図５】
2019072318.tif 000007
【図６】
2019072318.tif 000008
【図７】
2019072318.tif 000009